(57)【要約】【課題】配電システムにおいて、直流負荷の需要電力に関わらず、直流発電装置が自身に適した発電を行うことにある。【解決手段】直流系電力線１４の電圧が第１指令値に一致するようにバッテリ５４の充放電が制御される。直流系電力線１４の電圧Ｖが第１指令値に一致したとき、供給電力及び需要電力が平衡状態となる。よって、直流系電力線１４の電圧Ｖを第１指令値に制御することで、供給電力及び需要電力を平衡状態とすることができる。従って、発電電力及び需要電力の不平衡が生じた場合であれ、太陽電池３及び燃料電池１６の発電電力を調整する必要がない。これにより、ＤＣ機器５の需要電力に関わらず、太陽電池３及び燃料電池１６は自身に適切な電力で発電できる。【選択図】図２
2011103740.tif 000002
【特許請求の範囲】
【請求項１】
直流発電装置により発電される直流電力が直流配線を介して直流負荷に供給される直流電力系統を備える配電システムにおいて、
前記直流配線上に設けられて前記直流発電装置から入力される直流電力について、自身に記憶される所定の制御ルールに従って所望の直流電力に変換して前記直流負荷に供給するＤＣ／ＤＣコンバータと、
前記直流配線に接続されるバッテリと、
前記直流配線及び前記バッテリ間に設けられ、同直流配線の電力を同バッテリに充電し、
前記バッテリからの電力を前記直流配線に放電する充放電回路と、
前記直流配線の電圧を検出する電圧検出手段と、
前記充放電回路を通じて前記バッテリの充放電制御を行う制御部と、を備え、
前記制御部は、前記電圧検出手段を通じて検出される前記直流配線の電圧が第１指令値に一致するように前記充放電回路を通じて前記バッテリの充放電を制御することで、前記直流配線への供給電力と、前記直流配線を通じて必要される需要電力との平衡を図ることを特徴とする配電システム。
【請求項２】
請求項１に記載の配電システムにおいて、
前記直流発電装置は、太陽からの光エネルギを直流電力に変換する太陽電池を備え、
前記太陽電池に対応する前記ＤＣ／ＤＣコンバータが従う前記制御ルールは、前記太陽電池の最大出力動作点追尾制御であることを特徴とする配電システム。
【請求項３】
請求項１又は２に記載の配電システムにおいて、
前記制御部は、前記電圧検出手段を通じて検出された前記直流配線の電圧が前記第１指令値より大きい第１しきい値以上となったとき、前記ＤＣ／ＤＣコンバータを通じて前記直流発電装置の発電電力を抑制して、前記直流配線の電圧が第１しきい値未満となるように制御することを特徴とする配電システム。
【請求項４】
請求項１〜３の何れか一項に記載の配電システムにおいて、
前記直流配線には交流電源から交流配線を介して交流電力が供給される交流電力系統が連携されてなり、
前記直流配線及び前記交流配線を連結する直交流接続線上に設けられ、前記制御部からの指令に基づき前記交流配線からの交流電力を直流電力に変換して前記直流配線に出力する交流側コンバータ、を備え、
前記制御部は、前記電圧検出手段を通じて検出された前記直流配線の電圧が第１指令値より小さい第２指令値未満となったとき、前記交流側コンバータを通じて、前記交流配線の電力を前記直流配線へ出力し、前記直流配線を前記第２指令値に一致するように制御することを特徴とする配電システム。
【請求項５】
請求項４に記載の配電システムにおいて、
前記制御部は、前記ＤＣ／ＤＣコンバータ、前記交流側コンバータ及び前記充放電回路に分散して設けられ、
前記充放電回路は、前記第１指令値を記憶するとともに、前記直流配線の電圧が同第１指令値に一致するように前記バッテリの充放電制御を行い、
前記ＤＣ／ＤＣコンバータは、前記第１しきい値を記憶するとともに、前記直流配線の電圧が同第１しきい値未満となるように制御を行い、
前記交流側コンバータは、前記第２指令値を記憶するとともに、前記直流配線の電圧が同第２指令値に一致するように前記直流配線への出力電力の制御を行うことを特徴とする配電システム。
【請求項６】
請求項４に記載の配電システムにおいて、
前記制御部は、前記電圧検出手段を通じて検出された前記直流配線の電圧が前記第１指令値及び第２指令値の間の値に設定される第２しきい値以下となったとき、前記交流側コンバータを起動させることを特徴とする配電システム。
【発明の詳細な説明】
【技術分野】
【０００１】
この発明は、電力系統から負荷に電力を供給する配電システムに関する。
【背景技術】
【０００２】
近年、配電効率等の観点から太陽電池、燃料電池等の直流配電装置からの直流電力を負荷に供給する直流供給型配電システムが一般的になりつつある。従来、直流供給型配電システムとして、例えば、特許文献１に開示される構成が採用されている。直流供給型配電システムには、図８に示す様に太陽からの光エネルギを電気エネルギ（直流電力）に変換する太陽電池１０１と太陽電池１０１により発電される直流電力を適切な出力電圧Ｖｏｕｔに変換し負荷に電力を供給するコンバータ１０３と物質の化学反応により発電する燃料電池１０２と燃料電池１０２により発電される直流電力を適切な出力電圧Ｖｏｕｔに変換し負荷に電力を供給するコンバータ１０４と、太陽電池１０１及び燃料電池１０２からの直流電力による動作する直流負荷１０５とからなる。
【０００３】
太陽電池１０１は図７に示すような出力特性を持ち、その動作電圧により太陽電池１０１の出力電力は大きく変動する。太陽電池１０１の動作電圧をＶｍｐで動作するようにコンバータ１０３で制御することができれば太陽電池１０１から最大出力電力Ｐｍａｘ出力させることができ効率的に太陽電池１０１を利用していることになる。この太陽電池１０１からの出力電力をＰｍａｘで出力させ太陽電池１０１を最大限に利用するための制御を最大出力動作点追尾制御（以下、ＭＰＰＴ制御）という。
【０００４】
また、燃料電池１０２においても、自身に適した発電ルールが存在する。発電ルールにおいては、例えば、最大出力電力が規定されていたり、発電電力の急激な変化を規制したりしている。この発電ルールによれば、燃料電池１０２に適した態様にて使用されるため、燃料電池１０２から電力を効率よく取り出せるとともに、同燃料電池１０２の超寿命化が図れる。
【０００５】
以上のように、太陽電池１０１及び燃料電池１０２等の直流発電装置においては、発電ルール、ＭＰＰＴ制御などのそれぞれの事情に沿って電力を発電する実益がある。
また、例えば特許文献２に示されるように、蓄電池を備えた直流配電システムが存在する。本配電システムにおいて、蓄電池は、直流発電装置からの発電電力が少なくなったときに放電を行うといった主にバックアップ用として用いられる。
【先行技術文献】
【特許文献】
【０００６】
【特許文献１】特開２００９−２３２６７４号公報
【特許文献２】特開２００９−１５９７３０号公報
【発明の概要】
【発明が解決しようとする課題】
【０００７】
ところで、上記特許文献１に示す配電システムにおいては、太陽電池１０１や燃料電池１０２の発電電力と直流負荷１０５で消費される消費電力は、各種電力変換機器での損失や配線での損失を無視すれば同一電力である。つまり、直流配電システムにおいてやりとりされる電力は直流負荷１０５の消費電力により決定されてしまうことになる。つまり、太陽電池１０１や燃料電池１０２の発電能力が消費電力を上回ることができる場合においても直流負荷１０５の消費電力分しか発電することができないため非効率な運転となる。また、逆に太陽電池１０１や燃料電池１０２の発電能力を上回る消費電力の場合には、例えば、燃料電池１０２から上記発電ルールを反故して電力を出力することが考えられる。しかしこれは、上述のように燃料電池１０２の発電効率及び寿命の点で好ましくない。
【０００８】
このように、太陽電池１０１及び燃料電池１０２等の直流発電装置において、直流負荷１０５の消費電力（需要電力）によっては、ＭＰＰＴ制御等に従った発電ができないおそれがある。
【０００９】
この発明は、こうした実情に鑑みてなされたものであり、その目的は、直流負荷の需要電力に関わらず、直流発電装置において自身に適した発電が可能となる配電システムを提供することにある。
【課題を解決するための手段】
【００１０】
以下、上記目的を達成するための手段及びその作用効果について説明する。
請求項１に記載の発明は、直流発電装置により発電される直流電力が直流配線を介して直流負荷に供給される直流電力系統を備える配電システムにおいて、前記直流配線上に設けられて前記直流発電装置から入力される直流電力について、自身に記憶される所定の制御ルールに従って所望の直流電力に変換して前記直流負荷に供給するＤＣ／ＤＣコンバータと、前記直流配線に接続されるバッテリと、前記直流配線及び前記バッテリ間に設けられ、同直流配線の電力を同バッテリに充電し、前記バッテリからの電力を前記直流配線に放電する充放電回路と、前記直流配線の電圧を検出する電圧検出手段と、前記充放電回路を通じて前記バッテリの充放電制御を行う制御部と、を備え、前記制御部は、前記電圧検出手段を通じて検出される前記直流配線の電圧が第１指令値に一致するように前記充放電回路を通じて前記バッテリの充放電を制御することで、前記配線への供給電力と、前記直流配線を通じて必要される需要電力との平衡を図ることをその要旨としている。
【００１１】
同構成によれば、直流配線の電圧が第１指令値に一致するようにバッテリの充放電が制御される。直流配線の電圧が第１指令値に一致したとき、供給電力及び需要電力が平衡状態となるため、直流配線の電圧を第１指令値に制御することで、供給電力及び需要電力を平衡状態とすることができる。従って、直流発電装置の発電電力及び直流負荷の需要電力の不平衡が生じた場合であれ、直流発電装置の発電電力を調整する必要がない。これにより、直流負荷の需要電力に関わらず、直流発電装置は自身に適切な電力で発電できる。
【００１２】
請求項２に記載の発明は、請求項１に記載の配電システムにおいて、前記直流発電装置は、太陽からの光エネルギを直流電力に変換する太陽電池を備え、前記太陽電池に対応する前記ＤＣ／ＤＣコンバータが従う前記制御ルールは、前記太陽電池の最大出力動作点追尾制御であることをその要旨としている。
【００１３】
一般的に太陽電池の出力特性として、最大電力を出力する最大出力電圧値が存在する。すなわち、太陽電池の出力電圧を最大出力電圧値とすることで、最も効率良く発電できる最大出力動作点追尾制御が知られている。ここで、上記構成においては、太陽電池の出力電力とは、ＤＣ／ＤＣコンバータの入力電力である。従って、ＤＣ／ＤＣコンバータを入力電力が最大となるような最大出力電圧点で動作させることにより、太陽電池から高い効率で電力を得ることができる。また、上述のように、バッテリにより供給電力及び需要電力の平衡が図られる。よって、太陽電池の発電効率を抑制する必要がないため、発電電力の損失を低減できる。
【００１４】
請求項３に記載の発明は、請求項１又は２に記載の配電システムにおいて、前記制御部は、前記電圧検出手段を通じて検出された前記直流配線の電圧が前記第１指令値より大きい第１しきい値以上となったとき、前記ＤＣ／ＤＣコンバータを通じて前記直流発電装置の発電電力を抑制して、前記直流配線の電圧が第１しきい値未満となるように制御することをその要旨としている。
【００１５】
バッテリが満充電状態の場合や、バッテリがその最大充放電電流を超えて充電される場合がある。このような場合には、直流配線の電圧は上昇する。本発明では、直流配線の電圧が第１しきい値以上となったとき、同電圧が第１しきい値未満となるように制御される。すなわち、制御部によりＤＣ／ＤＣコンバータを通じて直流発電装置からの発電電力が抑制される。よって、直流配線の電圧の上昇が抑制されるので配電システムの安全性を高めることができる。
【００１６】
請求項４に記載の発明は、請求項１〜３の何れか一項に記載の配電システムにおいて、前記直流配線には交流電源から交流配線を介して交流電力が供給される交流電力系統が連携されてなり、前記直流配線及び前記交流配線を連結する直交流接続線上に設けられ、前記制御部からの指令に基づき前記交流配線からの交流電力を直流電力に変換して前記直流配線に出力する交流側コンバータ、を備え、前記制御部は、前記電圧検出手段を通じて検出された前記直流配線の電圧が第１指令値より小さい第２指令値未満となったとき、前記交流側コンバータを通じて、前記交流配線の電力を前記直流配線へ出力し、前記直流配線を前記第２指令値に一致するように制御することをその要旨としている。
【００１７】
同構成によれば、電圧Ｖが第２指令値Ａ２に一致するように制御される。具体的には、当該制御は直流配線の電圧が第２指令値未満となったとき、交流電力系統から交流側コンバータを通じて、直流配線に電力が供給されることで実行される。ここで、第２指令値は、迅速に直流配線の電圧を第１指令値とする観点からは、第１指令値に近い値とすることが望ましい。しかし、前記両指令値をあまりに近い値に設定するとつぎのような弊害が想定される。例えば、直流配線の電圧が第１指令値未満となった場合、その直流配線の電圧の検出からバッテリの放電が開始されて、実際に同電圧が第１指令値に制御されるまでは一定時間を要する。このように、直流配線の電圧制御の遅延に基づく第１指令値を基準とした直流配線の電圧の低下により、同電圧が第２指令値未満となっていたのでは、バッテリの放電によって電圧を第１指令値に維持できるにも関わらず、交流電力系統から直流配線に電力が供給されることになる。そこで、第２指令値は、第１指令値に近い値をとるとともに、上記のような直流配線の電圧制御の遅延に基づき、検出が予想される最小電圧値未満に設定されている。従って、より適切なタイミングで電圧が第２指令値未満となり、直流配線の電圧の降下が迅速に解消される。これにより、迅速に供給電力及び需要電力の平衡が実現される。
【００１８】
請求項５に記載の発明は、請求項４に記載の配電システムにおいて、前記制御部は、前記ＤＣ／ＤＣコンバータ、前記交流側コンバータ及び前記充放電回路に分散して設けられ、前記充放電回路は、前記第１指令値を記憶するとともに、前記直流配線の電圧が同第１指令値に一致するように前記バッテリの充放電制御を行い、前記ＤＣ／ＤＣコンバータは、前記第１しきい値を記憶するとともに、前記直流配線の電圧が同第１しきい値未満となるように制御を行い、前記交流側コンバータは、前記第２指令値を記憶するとともに、前記直流配線の電圧が同第２指令値に一致するように前記直流配線への出力電力の制御を行うことをその要旨としている。
【００１９】
同構成によれば、制御部が各コンバータに分散されて設けられる。よって、各コンバータは、独自で直流配線の電圧及び各自に記憶される指令値又はしきい値の比較を通じて、直流配線の電圧を制御する。このように、各コンバータは、他のコンバータとの通信を行うことなく、供給電力及び需要電力の平衡が図れる。
【００２０】
請求項６に記載の発明は、請求項４に記載の配電システムにおいて、前記制御部は、前記電圧検出手段を通じて検出された前記直流配線の電圧が前記第１指令値及び第２指令値の間の値に設定される第２しきい値以下となったとき、前記交流側コンバータを起動させることをその要旨としている。
【００２１】
同構成によれば、直流配線の電圧が第２しきい値以下となったとき、交流側コンバータが起動される。このように、直流配線の電圧が第２しきい値以下となるまでは、交流側コンバータを停止させることができるため、起動時までの交流側コンバータの待機電力をなくすことができる。また、第２指令値以下となる前に交流側コンバータを起動させることで、同第２指令値以下となったときには、交流側コンバータは、すぐに交流電力系統からの交流電力を直流電力に変換して、これを直流配線に供給できる。これにより、より迅速に前記直流負荷に供給する電力の不足を補填できる。以上により、交流側コンバータにおいて、電圧降下に対する追従制御性及び消費電力の低減を両立させることができる。
【発明の効果】
【００２２】
本発明によれば、配電システムにおいて、直流負荷の需要電力に関わらず、直流発電装置は自身に適した発電ができる。
【図面の簡単な説明】
【００２３】
【図１】第１の実施形態における配電システムの構成を示すブロック図。
【図２】第１の実施形態における図１の一部を拡大したブロック図。
【図３】第１の実施形態におけるコンバータ５５〜５８の構成を示すブロック図。
【図４】第１の実施形態における（ａ）は第１及び第２しきい値、第１及び第２指令値及び電圧Ｖの推移を示すグラフ、（ｂ）は第１指令値及び電圧Ｖの推移を示すグラフ。
【図５】第１の実施形態における給電プログラムの処理手順を示すフローチャート。
【図６】第２の実施形態における図１の一部を拡大したブロック図。
【図７】太陽電池電圧−太陽電池電力特性を示すグラフ。
【図８】従来の配電システムの構成を示すブロック図。
【発明を実施するための形態】
【００２４】
（第１の実施形態）
以下、本発明にかかる配電システムを具体化した第１の実施形態について図１〜図６を参照して説明する。
【００２５】
図１に示すように、住宅には、宅内に設置された各種機器（照明機器、エアコン、家電、オーディオビジュアル機器等）に電力を供給する配電システム１が設けられている。配電システム１は、家庭用の商用交流電源（ＡＣ電源）２の電力の他に、太陽光により発電する太陽電池３の電力や、物質の化学反応により発電する燃料電池１６の電力も各種機器に供給する。また、配電システム１は、直流電源（ＤＣ電源）を入力して動作するＤＣ機器５の他に、交流電源（ＡＣ電源）を入力して動作するＡＣ機器６にも電力を供給する。
【００２６】
配電システム１には、その分電盤としてコントロールユニット７及びＤＣ分電盤（直流ブレーカ内蔵）８が設けられている。また、配電システム１には、住宅のＤＣ機器５の動作を制御する機器として制御ユニット９及びリレーユニット１０が設けられている。
【００２７】
コントロールユニット７には、交流電源を分岐させるＡＣ分電盤１１が直交流接続線１２を介して接続されている。また、ＡＣ分電盤１１には、交流系電力線２３を介してＡＣ電源２及びＡＣ機器６が接続されている。コントロールユニット７には、直流系電力線１３を介して太陽電池３が接続されるとともに、直流系電力線１５を介して燃料電池１６が接続されている。コントロールユニット７は、ＡＣ分電盤１１から交流電力を取り込むとともに太陽電池３及び燃料電池１６から直流電力を取り込み、これら電力を機器電源として所定の直流電力に変換する。そして、コントロールユニット７は、この変換後の直流電力を、直流系電力線１４を介してＤＣ分電盤８に出力する。コントロールユニット７は、ＡＣ電力を取り込むのみならず、太陽電池３や燃料電池１６の電力を交流電力に変換してＡＣ分電盤１１に供給する。また、コントロールユニット７は、信号線１７を介してＤＣ分電盤８とデータのやり取りを実行する。
【００２８】
ＤＣ分電盤８は、直流電力対応の一種のブレーカである。ＤＣ分電盤８は、コントロールユニット７から入力した直流電力を分岐させ、その分岐後の直流電力を、直流系電力線１８を介して制御ユニット９に出力したり、直流系電力線１９を介してリレーユニット１０に出力したりする。また、ＤＣ分電盤８は、信号線４４を介して制御ユニット９とデータのやり取りをしたり、信号線４５を介してリレーユニット１０とデータのやり取りをしたりする。
【００２９】
制御ユニット９には、複数のＤＣ機器５が接続されている。これらＤＣ機器５は、直流電力及びデータの両方を一対の線によって搬送可能な直流供給線路２２を介して制御ユニット９と接続されている。直流供給線路２２は、ＤＣ機器の電源となる直流電圧に、高周波の搬送波によりデータを電送する通信信号を重畳する、いわゆる電力線搬送通信により、一対の線で電力及びデータの両方をＤＣ機器５に搬送する。制御ユニット９は、直流系電力線１８を介してＤＣ機器５の直流電源を取得し、ＤＣ分電盤８から信号線４４を介して得る動作指令を基に、どのＤＣ機器５をどのように制御するのかを把握する。そして、制御ユニット９は、指示されたＤＣ機器５に直流供給線路２２を介して直流電圧及び動作指令を出力し、ＤＣ機器５の動作を制御する。
【００３０】
制御ユニット９には、宅内のＤＣ機器５の動作を切り換える際に操作するスイッチ４３が直流供給線路２２を介して接続されている。また、制御ユニット９には、例えば赤外線リモートコントローラからの発信電波を検出するセンサ２４が直流供給線路２２を介して接続されている。よって、ＤＣ分電盤８からの動作指示のみならず、スイッチ４３の操作やセンサ２４の検知によっても、直流供給線路２２に通信信号を流してＤＣ機器５が制御される。
【００３１】
リレーユニット１０には、複数のＤＣ機器５がそれぞれ個別の直流系電力線２５を介して接続されている。リレーユニット１０は、直流系電力線１９を介してＤＣ機器５の直流電源を取得し、ＤＣ分電盤８から信号線４５を介して得る動作指令を基に、どのＤＣ機器５を動作させるのかを把握する。そして、リレーユニット１０は、指示されたＤＣ機器５に対し、内蔵のリレーにて直流系電力線２５への電源供給をオンオフすることで、ＤＣ機器５の動作を制御する。また、リレーユニット１０には、ＤＣ機器５を手動操作するための複数のスイッチ４６が接続されており、スイッチ４６の操作によって直流系電力線２５への電源供給をリレーにてオンオフすることにより、ＤＣ機器５が制御される。
【００３２】
ＤＣ分電盤８には、例えば壁コンセントや床コンセントの態様で住宅に建て付けられた直流コンセント２７が直流系電力線２８を介して接続されている。この直流コンセント２７にＤＣ機器のプラグ（図示略）を差し込めば、同機器に直流電力を直接供給することが可能である。
【００３３】
また、ＡＣ分電盤１１及びＡＣ電源２との間には、ＡＣ電源２の使用量を遠隔検針可能な電力メータ２９が接続されている。電力メータ２９には、商用電源使用量の遠隔検針の機能のみならず、例えば電力線搬送通信や無線通信の機能が搭載されている。電力メータ２９は、電力線搬送通信や無線通信等を介して検針結果を電力会社等に送信する。
【００３４】
配電システム１には、宅内の各種機器をネットワーク通信によって制御可能とするネットワークシステム３０が設けられている。ネットワークシステム３０には、同システム３０のコントロールユニットとして宅内サーバ３１が設けられている。宅内サーバ３１は、インターネットなどのネットワークＮを介して宅外の管理サーバ３２と接続されるとともに、信号線３３を介して宅内機器３４に接続されている。また、宅内サーバ３１は、ＤＣ分電盤８から直流系配線３５を介して取得する直流電力を電源として動作する。
【００３５】
宅内サーバ３１には、ネットワーク通信による宅内の各種機器の動作制御を管理するコントロールボックス３６が信号線３７を介して接続されている。コントロールボックス３６は、信号線１７を介してコントロールユニット７及びＤＣ分電盤８に接続されるとともに、直流供給線路３８を介してＤＣ機器５を直接制御可能である。コントロールボックス３６には、例えば使用したガス量や水道量を遠隔検針可能なガス／水道メータ３９が接続されるとともに、ネットワークシステム３０の操作パネル４０が接続されている。操作パネル４０には、例えばドアホン子器やセンサやカメラからなる監視機器４１が接続されている。
【００３６】
宅内サーバ３１は、ネットワークＮを介して宅内の各種機器の動作指令を入力すると、コントロールボックス３６に指示を通知して、各種機器が動作指令に準じた動作をとるようにコントロールボックス３６を動作させる。また、宅内サーバ３１は、コントロールボックス３６を介してガス／水道メータ３９から取得した各種情報を、ネットワークＮを通じて管理サーバ３２に提供可能であるとともに、監視機器４１で異常検出があったことを操作パネル４０から受け付けると、その旨もネットワークＮを通じて管理サーバ３２に提供する。
【００３７】
次に、コントロールユニット７の具体的構成について説明する。
図２に示すように、コントロールユニット７は、制御部５１と、第１ＤＣ／ＤＣコンバータ（以下、「第１コンバータ」という。）５５と、第２ＤＣ／ＤＣコンバータ（以下、「第２コンバータ」という。）５６と、バッテリ側コンバータ５７と、ＡＣ／ＤＣコンバータ５８と、バッテリ５４とを備える。
【００３８】
第１コンバータ５５は、太陽電池３から入力される直流電力（太陽電池電力Ｐｐｖ）を所望の直流電力に変換してＤＣ分電盤８に出力する。
詳細には、第１コンバータ５５は、図３に示すように、太陽電池３側の電圧を検出する入力電圧検出回路６１と、ＤＣ分電盤８側の電圧値を検出する出力電圧検出回路６２と、太陽電池３側の電流値を検出する入力電流検出回路６３と、電力変換用のパワー回路６４と、前記パワー回路６４を制御するＣＰＵ６５と、同ＣＰＵ６５がアクセスする不揮発性のメモリ６５ａとから構成される。
【００３９】
ＣＰＵ６５は、メモリ６５ａに格納されるプログラムに従って、パワー回路６４を適切に制御する。具体的には、同プログラムに従って、上記背景技術において説明したＭＰＰＴ制御が実行される。太陽電池３の発電効率の観点からは、常時、ＭＰＰＴ制御が行われることが好ましい。
【００４０】
パワー回路６４は、ＣＰＵ６５からの制御信号に基づき、太陽電池３から供給される電力を所望の電力に変換してＤＣ分電盤８側に出力する。ＭＰＰＴ制御によれば、上記背景技術において、図６を参照して説明したように、ＣＰＵ６５は、パワー回路６４を通じて、出力電力Ｐｏｕｔ（太陽電池電力Ｐｐｖ）を最大出力電力Ｐｍａｘに制御する。
【００４１】
パワー回路６４の入力電圧及び入力電流は入力電圧検出回路６１及び入力電流検出回路６３により検出され、出力電圧は出力電圧検出回路６２により検出される。これら検出結果は、ＣＰＵ６５に出力される。これにより、ＣＰＵ６５は、入力電力が適切に出力電力に変換されたか否かを判断する。なお、パワー回路６４は複数のスイッチ素子等で構成される。また、ＣＰＵ６５は、制御部５１から出力電力Ｐｏｕｔに関する指令信号を入力する。
【００４２】
第２コンバータ５６は、燃料電池１６から入力される直流電力を所望の直流電力に変換してＤＣ分電盤８に出力する。第２コンバータ５６の具体的構成は、先の図３に示される第１コンバータ５５とほぼ同様である。第１コンバータ５５との相違点は、図３に示すように、第２コンバータ５６において、そのメモリ６５ａには燃料電池１６の発電ルールが記憶されている。発電ルールは、最大出力電力を規定したり、発電電力の急激な変化を規制したりしている。この発電ルールに従って発電されることで、燃料電池１６からの発電効率を高めつつ、同燃料電池１６の長寿命化が図れる。
【００４３】
バッテリ側コンバータ５７及びバッテリ５４は、バッテリ接続線５３を介して直流系電力線１４に接続されている。バッテリ側コンバータ５７は、直流系電力線１４の電力を所望の電力に変換してバッテリ５４に充電させたり、バッテリ５４に充電されている電力を所望の電力に変換して直流系電力線１４に放電させたりする。具体的には、バッテリ側コンバータ５７は、直流系電力線１４に出力する出力電流Ｉｏｕｔの制御を通じて、バッテリ５４の充放電制御を行う。なお、バッテリ側コンバータ５７は、ＤＣ／ＤＣ双方向コンバータである。バッテリ側コンバータ５７の具体的構成は、バッテリ５４側及び直流系電力線１４側の双方向に電力を出力できることを除いて、先の図３に示される第１コンバータ５５とほぼ同様である。バッテリ側コンバータ５７は、制御部５１により制御されるとともに、出力電圧検出回路６２の検出結果を制御部５１に出力する。制御部５１は、同検出結果に基づき、バッテリ接続線５３、ひいては直流系電力線１４の電圧Ｖを認識できる。
【００４４】
ＡＣ／ＤＣコンバータ５８は、交流系電力線２３からの交流電力を所望の直流電力に変換する。このように、直交流接続線１２にＡＣ／ＤＣコンバータ５８を設けることで、交流電力を直流電力に変換して直流系電力線１３〜１５に送電できる。
【００４５】
制御部５１は、メモリ５１ａに記憶される給電プログラムに基づき、バッテリ側コンバータ５７に指令信号を出力する。また、制御部５１は、バッテリ側コンバータ５７を通じて直流系電力線１４の電圧Ｖを常時監視する。具体的には、制御部５１は、図４（ａ）に示すように、電圧Ｖと自身のメモリ５１ａに記憶される第１及び第２しきい値Ｖ１，Ｖ２並びに第１及び第２指令値Ａ１，Ａ２とを比較する。
【００４６】
例えば、需要電力に対して発電電力が多い場合、直流系電力線１４の電圧Ｖは高まる。一方、需要電力に対して発電電力が少ない場合、直流系電力線１４の電圧Ｖは低くなる。このような傾向があることから直流系電力線１４の電圧Ｖをみることで、発電電力及び需要電力の平衡状態の認識が可能となる。直流系電力線１４の電圧Ｖが第１指令値Ａ１に一致するときは、供給電力及び需要電力が平衡状態にある。制御部５１は、電圧Ｖが第１指令値Ａ１を超える場合、発電電力が需要電力より大きいと判断し、電圧Ｖが第１指令値Ａ１未満の場合、発電電力が需要電力より小さいと判断する。そして、制御部５１は、図４（ｂ）に示すように、電圧Ｖが第１指令値Ａ１を超えた期間Ｔ１，Ｔ２においては、バッテリ側コンバータ５７を通じて、出力電流Ｉｏｕｔを減少させる。ここで、図４（ｂ）の下段に示すように、出力電流Ｉｏｕｔが正の値のとき、バッテリ５４の電力が放電され、出力電流Ｉｏｕｔが負の値のとき、直流系電力線１４の電力がバッテリ５４に充電される。具体的には、期間Ｔ１において出力電流Ｉｏｕｔが正の値で漸次減少していくため、バッテリ５４から放電される電力が抑制される。次に、期間Ｔ２において出力電流Ｉｏｕｔの値は正から負となるため、放電から充電に切り替えられる。また、電圧Ｖが第１指令値Ａ１未満となった期間Ｔ３においては、バッテリ側コンバータ５７を通じて、出力電流Ｉｏｕｔが増加される。この期間Ｔ３においては、出力電流Ｉｏｕｔの値は負から正となるため、充電から放電に切り替えられる。当該制御により電圧Ｖは第１指令値Ａ１に保たれる。
【００４７】
充電時においては、「発電電力−消費電力」で算出される余剰電力がバッテリ５４に充電されることにより、電圧Ｖが抑制され、電力平衡状態となる。このときには、消費電力に余剰電力を足し合わせたものが需要電力となる。また、放電時においては、バッテリ５４は、「需要電力−発電電力」で算出される不足電力を補填すべく放電する。
【００４８】
上記制御によって、電圧Ｖは第１指令値Ａ１に維持され、供給電力及び需要電力は平衡状態が保たれる。これにより、太陽電池３及び燃料電池１６は、需要電力に関わらず、自身の事情に見合った電力を発電できる。具体的には、常に、太陽電池３及び燃料電池１６は発電ルールに従った発電が可能となる。ここで、太陽電池３の発電ルールとは、ＭＰＰＴ制御を通じて実行される発電である。また、発電ルールは制御ルールに相当する。
【００４９】
第１しきい値Ｖ１は、図４（ａ）に示すように、第１指令値Ａ１より大きな値に設定される。発電電力が需要電力より大きい場合において、余剰電力をバッテリ５４に十分に充電することができないときに、電圧Ｖは第１しきい値Ｖ１以上となる。バッテリ５４に十分に充電することができない場合としては、バッテリ５４が満充電状態のときや、バッテリ５４の最大充放電電流を超えて充電されているときが想定される。例えば、バッテリ５４が満充電状態のときには、余剰電力をバッテリ５４に充電できないため、直流系電力線１４の電圧Ｖが上昇する。また、最大充放電電流を超える電流にて充電されるときには、余剰電力に対してバッテリ５４の充電可能電力が少なくなり、直流系電力線１４の電圧Ｖが迅速に抑制されない場合がある。
【００５０】
制御部５１は、図４（ａ）に示すように、直流系電力線１４の電圧Ｖが上昇して第１しきい値Ｖ１に達したとき（図４（ａ）の時刻ｔ１）には、第２コンバータ５６及び第１コンバータ５５の順で出力電力Ｐｏｕｔを抑制する。これにより、直流系電力線１４の電圧Ｖが第１しきい値Ｖ１未満となり、電圧Ｖの過度の上昇が抑制される。また、第２コンバータ５６の出力電力を優先して抑制することで、燃料電池１６の燃料の消耗を抑えつつ、太陽電池３の発電効率を維持することができる。
【００５１】
また、第２指令値Ａ２は第１指令値Ａ１より小さく、第２しきい値Ｖ２は第１指令値Ａ１及び第２指令値Ａ２の間の値に設定される。第２指令値Ａ２は、迅速に電圧Ｖを第１指令値Ａ１とする観点からは、第１指令値に近い値に設定することが望ましい。しかし、前記両指令値Ａ１，Ａ２をあまりに近い値に設定すると次のような弊害がある。例えば、電圧Ｖが第１指令値Ａ１未満となった場合、バッテリ側コンバータ５７を通じた電圧Ｖの検出からバッテリ５４の充放電制御が開始されて、実際に同電圧Ｖが第１指令値Ａ１に制御されるまでは一定時間を要する。このように、直流系電力線１４の電圧制御の遅延に基づく第１指令値Ａ１からの電圧Ｖの低下により、同電圧Ｖが第２指令値Ａ２未満となっていたのでは、バッテリ５４の充放電によって電圧Ｖを第１指令値Ａ１に維持できるにも関わらず、交流系電力線２３から直流系電力線１４に電力が供給されることになる。また、結果的に電圧Ｖの僅かな変動であってもＡＣ／ＤＣコンバータ５８を通じた制御が行われることとなり、ＡＣ／ＤＣコンバータ５８の動作電力の増大につながる。そこで、第２指令値Ａ２は、第１指令値Ａ１に近い値をとるとともに、直流系電力線１４の電圧制御の遅延に基づき、検出が予想される最小電圧値未満に設定されている。
【００５２】
制御部５１は、直流系電力線１４の電圧Ｖを第２指令値Ａ２に一致させる制御を行う。この制御は、電圧Ｖが低下して第２指令値Ａ２に達して（図４（ａ）の時刻ｔ３）、さらに第２指令値Ａ２未満となったとき、ＡＣ／ＤＣコンバータ５８を通じて、交流系電力線２３からの交流電力を直流電力に変換して直流系電力線１４に供給することにより実行される。ここで、ＡＣ／ＤＣコンバータ５８は、電圧Ｖが第２指令値Ａ２より大きい第２しきい値Ｖ２に達するまでは停止している。よって、直流系電力線１４の電圧Ｖが第２指令値Ａ２未満の場合には、バッテリ５４の放電を補助する態様にて、交流系電力線２３からの電力が直流系電力線１４に供給される。これにより、直流系電力線１４の電圧Ｖが第２指令値Ａ２に制御される。このため、太陽電池３及び燃料電池１６の発電に影響を及ぼすことなく、上記不足電力を補填することができる。
【００５３】
また、制御部５１は電圧Ｖが低下して第２しきい値Ｖ２に達したとき、ＡＣ／ＤＣコンバータ５８を起動させる。ここで、ＡＣ／ＤＣコンバータ５８は、電圧Ｖが第２しきい値Ｖ２に達するまで停止している。また、ＡＣ／ＤＣコンバータ５８は、起動開始から実際に電力を供給できる起動完了まで一定時間を要する。これを考慮して第２しきい値Ｖ２は設定される。すなわち、電圧Ｖの急激な電圧降下があっても、同電圧Ｖが第２指令値Ａ２に達したときには、ＡＣ／ＤＣコンバータ５８の起動が完了するように、第２しきい値Ｖ２は設定されている。このため、制御部５１は、電圧Ｖが第２しきい値Ｖ２に達した時点でＡＣ／ＤＣコンバータ５８を起動することにより電圧Ｖが第２指令値Ａ２に達したとき（図４（ｂ）の時刻ｔ２）には、ＡＣ／ＤＣコンバータ５８を通じて直流系電力線１４に電力を供給できる。これにより、より迅速に上記不足電力を補填することができる。また、ＡＣ／ＤＣコンバータ５８は、電圧Ｖが第２しきい値Ｖ２に達するまでは停止しているため、ＡＣ／ＤＣコンバータ５８の動作に係る消費電力を低減することができる。
【００５４】
また、電圧Ｖが第２しきい値Ｖ２となった時点で起動したＡＣ／ＤＣコンバータ５８は、同電圧Ｖが第１指令値Ａ１以上となったときに再び停止される。なお、ＡＣ／ＤＣコンバータ５８は、電圧Ｖが第２しきい値Ｖ２以上となったときに再び停止されてもよい。
【００５５】
また、図２に示すように、ＤＣ分電盤８は、ＤＣブレーカ７０と、一対のＤＣ／ＤＣコンバータ７１からなる。ＤＣブレーカ７０は、直流系電力線１４上に設けられて、直流系電力線１４に異常な電流が流れたときに、その異常電流を遮断する。これにより、異常電流のＤＣ機器５への流入が防止される。ＤＣ／ＤＣコンバータ７１は直流系電力線１４の直流電力を適切な電圧に降圧してＤＣ機器５に供給する。ここで、ＤＣブレーカ７０は、直流系電力線１４の電圧を降圧しないため、高圧の電力をＤＣ機器５に供給することができる。このように、高圧の電力を供給することで、送電時の電力損失を抑制することができる。
【００５６】
次に、制御部５１が実行する給電制御処理手順について、図５のフローチャートを参照しつつ説明する。当該フローは、メモリ５１ａに格納された給電プログラムに従い実行される。なお、給電プログラムは、供給電力及び需要電力の平衡を保つ観点から作成されている。
【００５７】
電圧Ｖが第１指令値Ａ１に維持される制御が実行される（Ｓ１０１）。当該制御は、前述のように、バッテリ側コンバータ５７の出力電流Ｉｏｕｔの制御を通じて行われる。そして、電圧Ｖが第１しきい値Ｖ１以上であるか否かが判断される（Ｓ１０２）。電圧Ｖが第１しきい値Ｖ１未満である旨判断された場合（Ｓ１０２でＮＯ）、両コンバータ５５，５６を通じて自身の発電ルールに従った発電が行われる（Ｓ１０３）。ここで、太陽電池３の発電ルールは、ＭＰＰＴ制御を通じて実行される。一方、電圧Ｖが第１しきい値Ｖ１以上である旨判断された場合（１０２でＹＥＳ）、両コンバータ５５，５６を通じて、その出力電力Ｐｏｕｔが抑制される（Ｓ１０４）。
【００５８】
つぎに、電圧Ｖが第２しきい値Ｖ２以下であるか否かが判断される（Ｓ１０５）。電圧Ｖが第２しきい値Ｖ２以下である旨判断された場合（Ｓ１０５でＹＥＳ）であって、電圧Ｖが第２指令値Ａ２未満のとき、ＡＣ／ＤＣコンバータ５８を通じて、電圧Ｖが第２指令値Ａ２に制御される（Ｓ１０６）。これにて、給電プログラムの処理が終了される。一方、電圧Ｖが第２しきい値Ｖ２を超える場合（Ｓ１０６でＮＯ）、ＡＣ／ＤＣコンバータ５８は停止状態を維持したまま、給電プログラムの処理が終了される。
【００５９】
なお、本フローチャートにおいて、ステップＳ１０１はバッテリ側コンバータ５７を通じて実行され、ステップＳ１０２〜Ｓ１０４は第１及び第２コンバータ５５，５６を通じて実行され、ステップＳ１０５〜Ｓ１０７はＡＣ／ＤＣコンバータ５８を通じて実行される。
【００６０】
以上、説明した実施形態によれば、以下の作用効果を奏することができる。
（１）直流系電力線１４の電圧が第１指令値Ａ１に一致するようにバッテリ５４の充放電が制御される。直流系電力線１４の電圧Ｖが第１指令値Ａ１に一致したとき、供給電力及び需要電力が平衡状態となる。よって、直流系電力線１４の電圧Ｖを第１指令値Ａ１に制御することで、供給電力及び需要電力を平衡状態とすることができる。従って、発電電力及び需要電力の不平衡が生じた場合であれ、太陽電池３及び燃料電池１６の発電電力を調整する必要がない。これにより、ＤＣ機器５の需要電力に関わらず、太陽電池３及び燃料電池１６は自身に適切な電力で発電できる。
【００６１】
（２）第１コンバータ５５を通じて、その入力電圧（太陽電池電力Ｐｐｖ）が最大出力電圧Ｖｍｐとなるように出力電力Ｐｏｕｔを制御することで、太陽電池３から高い効率で電力を得ることができる。上述のように、バッテリ５４の充放電により供給電力及び需要電力の平衡が図られる。よって、太陽電池３の発電効率を抑制する必要がないため、発電電力の損失を低減できる。
【００６２】
（３）バッテリ５４が満充電状態の場合や、バッテリ５４がその最大充放電電流を超えて充電される場合がある。このような場合には、直流系電力線１４の電圧は上昇する。本発明では、直流系電力線１４の電圧Ｖが第１しきい値Ｖ１以上となったとき、同電圧Ｖが第１しきい値Ｖ１未満となるように制御される。すなわち、制御部５１により両コンバータ５５，５６を通じて発電電力が抑制される。よって、直流系電力線１４の電圧の上昇が抑制されるので、例えば、ＤＣ機器５及び直流系電力線１４にＤＣ機器５の動作や配電等に影響を及ぼしかねない過電力が供給されることを防止できる。よって、配電システム１の安全性を高めることができる。
【００６３】
（４）電圧Ｖが第２指令値Ａ２に一致するように制御される。具体的には、当該制御は直流系電力線１４の電圧Ｖが第２指令値Ａ２未満となったとき、交流電力系統からＡＣ／ＤＣコンバータ５８を通じて、直流系電力線１４に電力が供給されることにより実行される。ここで、第２指令値Ａ２は、迅速に直流系電力線１４の電圧Ｖを第１指令値Ａ１とする観点からは、第１指令値Ａ１に近い値とすることが望ましい。しかし、前記両指令値Ａ１，Ａ２をあまりに近い値に設定するとつぎのような弊害が想定される。例えば、直流系電力線１４の電圧Ｖが第１指令値Ａ１未満となった場合、その直流系電力線１４の電圧の検出からバッテリの放電が開始されて、実際に同電圧が第１指令値Ａ１に制御されるまでは一定時間を要する。このように、直流系電力線１４の電圧制御の遅延に基づく第１指令値Ａ１を基準とした直流系電力線１４の電圧の低下により、同電圧が第２指令値Ａ２未満となっていたのでは、バッテリ５４の放電によって電圧Ｖを第１指令値Ａ１に維持できるにも関わらず、交流電力系統から直流系電力線１４に電力が供給されることになる。そこで、第２指令値Ａ２は、第１指令値Ａ１に近い値をとるとともに、上記のような直流系電力線１４の電圧制御の遅延に基づき、検出が予想される最小電圧値未満に設定されている。従って、より適切なタイミングで電圧Ｖが第２指令値Ａ２未満となり、直流系電力線１４の電圧の降下が迅速に解消される。よって、迅速に供給電力及び需要電力の平衡が実現される。
【００６４】
（５）直流系電力線１４の電圧Ｖが第２しきい値Ｖ２以下となったとき、ＡＣ／ＤＣコンバータ５８が起動される。このように、直流系電力線１４の電圧が第２しきい値以下となるまでは、ＡＣ／ＤＣコンバータ５８を停止させることができるため、ＡＣ／ＤＣコンバータ５８の動作電力の低減につながる。また、第２指令値Ａ２未満となる前にＡＣ／ＤＣコンバータ５８を起動させることで、同第２指令値Ａ２未満となったときには、ＡＣ／ＤＣコンバータ５８は、すぐに交流電力系統からの交流電力を直流電力に変換して、これを直流系電力線１４に供給できる。これにより、より迅速にＤＣ機器５に供給する電力の不足を補填できる。
【００６５】
（６）バッテリ側コンバータ５７を通じて検出される直流系電力線１４の電圧Ｖにより供給電力及び需要電力が平衡状態であるか否かが判断可能となる。さらに、直流系電力線１４の電圧Ｖが第１指令値Ａ１に一致するようにバッテリ５４の充放電が制御されることにより、供給電力及び需要電力を平衡状態とすることができる。このように、制御部５１は、バッテリ５４の充放電制御を通じて、容易に供給電力及び需要電力を平衡状態とすることができる。ここで、例えば、負荷機器の使用電力及び発電装置の発電電力をそれぞれ受信し、それらに基づき、制御部が自身に記憶される所定のアルゴリズムに従って、バッテリの電力を充放電制御する構成が考えられる。しかし、本構成に比較して、本実施形態においては負荷機器や発電装置との通信が不要となる。また、直流系電力線１４の電圧Ｖをみてフィードバック制御するだけなので、それら通信に係る複雑な制御を省略することができる。これにより、例えば、太陽電池３の急峻な日射変動やＤＣ機器５のＯＮ／ＯＦＦによる負荷急変による急激な電力不平衡に対応することができる。
【００６６】
（第２の実施形態）
以下、本発明の第２の実施形態について、図６を参照して説明する。この実施形態の配電システムは、制御部５１が省略され、その機能が各コンバータ５５〜５８（正確には、各ＣＰＵ６５）に分散されて構成されている点が上記第１の実施形態と異なっている。以下、第１の実施形態との相違点を中心に説明する。
【００６７】
各コンバータ５５〜５８は、自身の出力電圧検出回路６２（図３参照）を通じて、直流系電力線１４の電圧Ｖを認識する。そして、第１コンバータ５５及び第２コンバータ５６は、自身のメモリ６５ａに第１しきい値Ｖ１を記憶している。そして、両コンバータ５５，５６は、電圧Ｖが第１しきい値Ｖ１に達したとき、自身の出力を抑制する。また、バッテリ側コンバータ５７は、自身のメモリ６５ａに第１指令値Ａ１を記憶している。そして、バッテリ側コンバータ５７は、上記実施形態と同様に電圧Ｖが第１指令値Ａ１に一致するように制御する。また、ＡＣ／ＤＣコンバータ５８は、自身のメモリ６５ａに第２しきい値Ｖ２及び第２指令値Ａ２を記憶している。そして、ＡＣ／ＤＣコンバータ５８は、電圧Ｖが第２しきい値Ｖ２に達したとき起動し、第２指令値Ａ２未満となったときに交流系電力線２３の交流電力を直流電力に変換して直流系電力線１４側に出力して、電圧Ｖを第２指令値Ａ２に一致させる制御を実行する。
【００６８】
以上、説明した実施形態によれば、第１の実施形態の（１）〜（６）の作用効果に加え、以下の作用効果を奏することができる。
（７）第１の実施形態における制御部５１を省略できる。よって、コントロールユニット７をより簡易な構成とすることができるとともに、制御部５１に係るコストを抑制できる。また、各コンバータ５５〜５８は互いに通信することなく、しきい値、指令値を基準とした独自の発電ルールに従って発電するものの、結果的に第１の実施形態と同様に、供給電力及び需要電力の平衡を図ることができる。また、各コンバータ５５〜５８の通信が不要となるところ、それに係る処理が不要となる。これにより、ひいては、より迅速に電力の平衡状態を実現することができる。
【００６９】
さらに、各コンバータ５５〜５８は独立して構成されているため、システムの更新、拡張を容易に行うことができる。具体的には、必要に応じて各コンバータ５５〜５８の交換等を通じて、システムの更新等が可能となる。
【００７０】
なお、上記実施形態は、これを適宜変更した以下の形態にて実施することができる。
・上記両実施形態においては、電圧Ｖが第１指令値Ａ１を超えた場合、バッテリ５４に電力を充電し、電圧Ｖが第１指令値Ａ１未満となった場合、バッテリ５４の電力を放電する。この第１指令値Ａ１は、ノイズ等による微量の電圧変動を許容するべく第１指令値Ａ１を中心値として一定幅値を持って設定されていてもよい。この場合には、バッテリ５４による頻繁な充放電が抑制され、バッテリ５４の長寿命化が図れる。
【００７１】
・第１の実施形態においては、電圧Ｖは制御部５１によりバッテリ側コンバータ５７を通じて認識されていた。しかし、制御部５１は、電圧Ｖをその他のコンバータ、例えば、ＡＣ／ＤＣコンバータ５８における出力電圧検出回路６２を通じて認識してもよい。また、コンバータとは別に電圧検出回路を設けてもよい。
【００７２】
・上記両実施形態においては、交流系電力線２３からの電力がＡＣ／ＤＣコンバータ５８を通じて直流系統側に供給可能であった。しかし、交流系電力線２３、ＡＣ機器６及びＡＣ電源２等からなる交流系統を省略して配電システム１を構成してもよい。
【００７３】
・上記両実施形態においては、直流発電装置として燃料電池１６及び太陽電池３を設けたが、直流発電装置は直流電力を発電するものであれば、これに限定されるものではない。例えば、蓄電池、風力発電装置等であってもよい。蓄電池、風力発電装置に関しても、発電効率や寿命の観点から自身に適した発電ルールが存在する。また、太陽電池３のみ、又は燃料電池１６のみで直流発電装置を構成してもよい。
【００７４】
・上記両実施形態においては、第１及び第２しきい値Ｖ１、Ｖ２並びに第１及び第２指令値Ａ１，Ａ２を設定したが、第２しきい値Ｖ２及び第１及び第２指令値Ａ１，Ａ２を省略してもよい。この場合であっても、電圧Ｖを第１指令値Ａ１とする制御がされることで、供給電力及び需要電力の平衡が図られる。本設定によれば、バッテリ５４の充放電のみで供給電力及び需要電力の平衡を図るため、バッテリ５４の最大容量が大きいものを採用したり、バッテリ５４を複数設けたりするとよい。また、例えば、第１しきい値Ｖ１又は第２しきい値Ｖ２のみを省略することも可能である。
【符号の説明】
【００７５】
１…配電システム、２…ＡＣ電源（交流電源）、３…太陽電池（直流発電装置）、７…コントロールユニット、１２…直交流接続線、１３〜１５…直流系電力線（直流配線）、１６…燃料電池（直流発電装置）、１８，１９…直流系電力線、５１…制御部、５１ａ…メモリ、５４…バッテリ、５５…第１コンバータ、５６…第２コンバータ、５７…バッテリ側コンバータ（電圧検出手段、充放電回路）、５８…ＡＣ／ＤＣコンバータ（交流側コンバータ）、６１…入力電圧検出回路、６２…出力電圧検出回路、６３…入力電流検出回路、６４…パワー回路、６５…ＣＰＵ。
【図１】
2011103740.tif 000003
【図２】
2011103740.tif 000004
【図３】
2011103740.tif 000005
【図４】
2011103740.tif 000006
【図５】
2011103740.tif 000007
【図６】
2011103740.tif 000008
【図７】
2011103740.tif 000009
【図８】
2011103740.tif 000010